(57)【特許請求の範囲】
【請求項１】
第１の筒状容器と、第１の筒状容器に対してスライド可能に内挿もしくは外挿される第２の筒状容器とを有する容器と、
前記容器内に収納された薬液吸収材と、
前記容器内に収納されておりかつ外圧により破れ得るように構成された薬液袋と、
前記第１，第２の筒状容器の少なくとも一方が他方側に向かってスライドされた際に前記薬液袋を破り得るように、前記容器内に構成された薬液袋開封手段とを備えることを特徴とする薬液吸収材容器。
【請求項２】
前記薬液袋開封手段が、容器内に配置されており、かつ第１，第２の筒状容器の少なくとも一方を他方側に向かってスライドさせた際に第１もしくは第２の筒状容器により押圧されて前記薬液袋を開封するように構成された押動部材により構成されていることを特徴とする請求項１に記載の薬液吸収材容器。
【請求項３】
前記第１の筒状容器に対し第２の筒状容器がスライド可能に内挿されるように構成されており、
前記第１，第２の筒状容器の少なくとも一方を他方側に向かってスライドさせた際に、第２の筒状容器により薬液袋が開封されるように前記薬液袋開封手段が構成されている請求項１に記載の薬液吸収材容器。
【請求項４】
前記薬液袋開封手段が、第１の筒状容器の第２の筒状容器とは反対側の端部に設けられた可撓性を有する薬液袋収納部であり、
該薬液袋収納部の第２の筒状容器側に薬液吸収材が配置されている請求項１に記載の薬液吸収材容器。
【請求項５】
前記第１，第２の筒状容器の少なくとも一方が他方側に向かってスライドされた際に、前記薬液吸収材が第２の筒状容器により押動されて、前記薬液袋収納部側に移動されるように構成されている請求項４に記載の薬液吸収材容器。
【発明の詳細な説明】
【０００１】
【発明の属する技術分野】
本発明は、例えば綿棒などの薬液吸収材を収納してなる薬液吸収材容器に関し、より詳細には、薬液吸収材を薬液と共に収納してなる薬液吸収材容器の改良に関する。
【０００２】
【従来の技術】
例えば綿棒などの薬液吸収材は、薬液を吸収させ、薬液を患部に塗布するのに好適に用いられている。この種の薬液吸収材としては、綿棒、ガーゼ、脱脂綿、不織布などからなるものが知られている。中でも、綿棒は適用箇所に手を触れることなく操作し得るため衛生的であり、幅広く用いられている。
【０００３】
ところで、綿棒などに薬液を含浸させ、皮膚などに塗布するに際しては、従来、▲１▼綿棒と薬液が収納されている容器とを用意し、▲２▼適用の都度、綿棒に薬液を滴下したり、あるいは綿棒を薬液に浸漬して綿棒に薬液を吸収させ、▲３▼薬液が吸収された綿棒を患部に適用していた。
【０００４】
従って、操作が煩雑であるだけでなく、綿棒及び薬液収納容器を適用の都度探さねばならず、加えて、綿棒や残りの薬液が汚染される可能性があり、衛生上の点においても問題があった。
【０００５】
そこで、予め綿棒に薬液が含浸された薬液吸収材が提案されている。例えば、実開昭５７−２６２４７号公報には、綿棒の綿球に予め薬液を含浸させたものが開示されている。しかしながら、薬液が含浸された綿棒を長期間保存した場合、薬液の種類と綿球の構成材料との組み合わせによっては、薬液が綿球に吸着してしまい、患部に薬液を適用することが困難な場合があった。また、綿球構成材料、薬液が接触する綿棒の軸構成材料、軸に綿球に固定するための接着剤あるいは包装袋などからの溶出物や繊維屑などが薬液に混入するおそれもあった。
【０００６】
そこで、綿棒と薬液とを分離収納し、使用に際し綿棒に薬液を含浸させる形式の薬液吸収材収納袋が提案されている。例えば、実開昭５８−１５６６６４号公報には、シール袋内を薬液室と綿棒収納部分とに区画し、それぞれに薬液及び綿棒を収納し、外圧により薬液室と綿棒収納部とを連通し得るように構成されたシール袋が開示されている。しかしながら、このシール袋では、外力が薬液室にも直接伝わるため、薬液室のシール部分が、製品保管中に比較的小さな外圧が加わった場合でも剥離し、使用前に薬液が汚染するおそれがあった。加えて、薬液室と綿棒収納部との間のシール部が剥離すると、薬液が綿棒収納室内に流れ込み、綿棒の軸部分も薬液に濡れ、汚染することがあった。
【０００７】
【発明が解決しようとする課題】
本発明の目的は、上述した従来技術の欠点を解消し、薬液及び薬液吸収材の汚染が生じ難く、かつ簡便に使用し得る薬液吸収材容器を提供することにある。
【０００８】
【課題を解決するための手段】
本発明は、薬液吸収材と薬液とを収納してなる薬液吸収材容器であり、下記の構成を備えることにより上記課題を達成するものである。
【０００９】
すなわち、請求項１に記載の発明に係る薬液吸収材容器は、第１の筒状容器と、第１の筒状容器に対してスライド可能に内挿もしくは外挿される第２の筒状容器とを有する容器と、前記容器内に収納された薬液吸収材と、前記容器内に収納されておりかつ外圧により破れ得るように構成された薬液袋と、前記第１，第２の筒状容器の少なくとも一方が他方側に向かってスライドされた際に前記薬液袋を破り得るように、前記容器内に構成された薬液袋開封手段とを備えることを特徴とする。
【００１０】
また、請求項２に記載の発明では、前記薬液袋開封手段が、容器内に配置されており、かつ第１，第２の筒状容器の少なくとも一方を他方側に向かってスライドさせた際に第１もしくは第２の筒状容器により押圧されて前記薬液袋を開封するように構成された押動部材により構成されていることを特徴とする。
【００１１】
さらに、請求項３に記載の発明では、前記第１の筒状容器に対し第２の筒状容器がスライド可能に内挿されるように構成されており、前記第１，第２の筒状容器の少なくとも一方を他方側に向かってスライドさせた際に、第２の筒状容器により薬液袋が開封されるように前記薬液袋開封手段が構成されている。
【００１２】
請求項４に記載の発明では、前記薬液袋開封手段が、第１の筒状容器の第２の筒状容器とは反対側の端部に設けられた可撓性を有する薬液袋収納部であり、該薬液袋収納部の第２の筒状容器側に薬液吸収材が配置されている。
【００１３】
また、請求項４に記載の発明に係る薬液吸収材容器では、好ましくは、前記第１，第２の筒状容器の少なくとも一方が他方側に向かってスライドされた際に、前記薬液吸収材が第２の筒状容器により押動されて、前記薬液袋収納部側に移動されるように構成されている。
【００１４】
作用
請求項１に記載の発明に係る薬液吸収材容器では、第１の筒状容器に対して第２の筒状容器がスライド可能に内挿もしくは外挿されるように構成されているので、第１，第２の筒状容器の少なくとも一方を他方側に向かってスライドさせることにより薬液吸収材容器の全長を短くするように操作することができる。他方、薬液袋開封手段は第１，第２の筒状容器の少なくとも一方を他方側に向かってスライドさせた際に薬液袋を破り得るように構成されているので、上記操作により薬液袋が破れ、薬液袋内の薬液が薬液吸収材側に漏洩する。その結果、薬液吸収材に薬液が吸収される。
【００１５】
請求項２に記載の発明では、薬液袋開封手段は、上記押動部材により構成されており、第１，第２の筒状容器の少なくとも一方を他方側に向かってスライドさせた際に、該押動部材が第１もしくは第２の筒状容器により押動されて薬液袋を開封する。従って、第１，第２の筒状容器の少なくとも一方を他方側に向かってスライドさせる操作を行うだけで、押動部材により薬液袋を開封し、薬液を薬液吸収材に吸収させ得る。
【００１６】
請求項３に記載の発明では、第１の筒状容器に対して第２の筒状容器がスライド可能に内挿されるように構成されており、第１，第２の筒状容器の少なくとも一方を他方側に向かってスライドさせる操作を行うことにより、第２の筒状容器によって薬液袋に圧力が加えられ、薬液袋が開封される。その結果、薬液が漏洩し、薬液吸収材に吸収される。
【００１７】
請求項４に記載の発明では、薬液袋収納部が可撓性を有するので、該薬液袋収納部を手指により、あるいは机などに押しつけることにより容易に変形させることができる。その結果、薬液袋収納部の変形により加わる圧力により内部の薬液袋が開封され、薬液袋内の薬液が漏洩し、薬液吸収材に吸収される。
【００１８】
請求項５に記載の発明では、第１，第２の筒状容器の少なくとも一方を他方側に向かってスライドさせた際に、薬液吸収材が第２の筒状容器により押動されて薬液袋収納部側に移動されるように構成されているので、第１，第２の筒状容器の少なくとも一方を他方側に向かってスライドさせる操作を行うだけで、薬液吸収材自体により薬液袋が圧力を受け開封され得る。従って、可撓性を有する薬液袋収納部に外力を加えるだけでなく、上記操作を行うことにより、より確実に開封袋が開封される。
【００１９】
【発明の実施の形態】
以下、本発明に係る薬液吸収材容器の実施の形態を説明する。
（薬液袋）
本発明において用いられる薬液袋は、外圧により破れ得るように構成されている限り、特に限定されるものではない。もっとも、外圧により容易に破れ得るように構成するためには、薬液袋は合成樹脂フィルムをシールすることにより構成されたシール袋を用いることが好ましい。
【００２０】
上記薬液袋を構成するための材料については特に限定されるわけではなく、例えば、ポリエチレン、ポリプロピレン、ポリエチレンテレフタレート、ポリ塩化ビニル、ポリ塩化ビニリデン、エチレン−酢酸ビニル共重合体、ナイロンなどのポリアミド、ポリアクリロニトリル、ポリスチレンなどの合成樹脂を例示することができる。薬液袋では、一般に、ガス及び水蒸気バリア性が求められ、ガス及び水蒸気バリア性と上記シール性とを両立させるためには、上述した合成樹脂を２種以上組み合わせてなる積層フィルムが好適に用いられる。
【００２１】
また、ガス及び水蒸気バリア性を高めるために、アルミニウムなどの金属箔を単層もしくは積層合成樹脂フィルムとラミネートしてなる積層材、あるいはアルミニウムなどの金属や珪素酸化物などの無機物を単層もしくは積層合成樹脂フィルムに蒸着してなるシートを用いてもよい。
【００２２】
さらに、好ましくは、薬液袋の最内層は、シール性を付与するための易シール性材料により構成することが望ましい。このような易シール性材料としては、特に限定されるわけではないが、ポリエチレンやポリプロピレンなどのポリオレフィンまたはポリ塩化ビニリデンなどを用いることができる。中でも、ポリ塩化ビニリデンは、シール条件に影響されずに安定したシールが可能であり、また易開封性に優れており、かつバリア性と易開封性とのバランスに優れているため、最も好ましい。
【００２３】
薬液袋を構成するための材料の好ましい例としては、ポリエチレンテレフタレート／ナイロン／ポリエチレンのラミネートフィルム、ポリエチレンテレフタレート／アルミニウム／ポリエチレンテレフタレート／ポリ塩化ビニリデンのラミネートフィルム、ポリエチレンテレフタレート／アルミニウム／ポリプロピレンのラミネートフィルムなどを例示することができる。
【００２４】
薬液袋におけるシール強度は、易開封性を得るには、例えば指で押圧した場合に容易にシール部を剥離し得る程度とされることが好ましく、従って、シール強度は１００〜１５００ｇ／１５ｍｍの範囲であることが望ましい。１００ｇ／１５ｍｍ未満の場合には、僅かな外力が加わっただけでも薬液袋が破れることがあり、かつシールの確実性が損なわれることがある。１５００ｇ／１５ｍｍを超えると、易開封性が損なわれることがある。易開封性をさらに高めるには、上記シール強度は、好ましくは１００〜１０００ｇ／１５ｍｍ、より好ましくは１００〜５００ｇ／１５ｍｍ、他方、シールの確実性を考慮すると、より好ましくは、２００〜５００ｇ／１５ｍｍとすることが望ましい。
【００２５】
なお、本明細書において上記シール強度とは、ＪＩＳ  Ｚ０２１８における１８０°引き剥がし試験により測定される剥離強度を意味するものとする。
シール強度１００〜１５００ｇ／１５ｍｍのハーフシール性を得るには、ヒートシールに際しての温度や時間条件をコントロールすることにより行うことができ、かつシール材の種類、厚み及びシール幅を制御することによっても可能である。特に、シール材として上述したポリ塩化ビニリデンを用いた場合、シール材の厚みを薄くしたとしても、安定なハーフシールを実現することができる。すなわち、一定の外力でシール部は破壊されるが、安定したシール強度が得られるので、一定の外力より小さな力が加わったとしても、所望でないシール破壊が生じ難い。
【００２６】
薬液袋は、上記のようにシール袋で構成されることが望ましいが、この場合、シール袋の周囲の全てのシール部を上記ハーフシール部としてもよく、部分的にハーフシール部を構成してもよい。薬液袋の強度を高めるには、外周シール部の一部をハーフシール部とし、他の部分をよりシール強度が高いシール部としてもよい。
【００２７】
薬液袋を構成する上述した材料の厚みについては特に限定されるものではないが、要求されるガスバリア性及び水蒸気バリア性を考慮すると、薬液袋構成材料によっても異なるが、通常、１０〜１０００μｍとすることが好ましく、より好ましくは、２０〜５００μｍである。厚みが１０μｍ未満では、十分なガスバリア性及び水蒸気バリア性を得ることができないことがあり、１０００μｍを超えると、加工性が悪くなったり易開封性が損なわれることがある。
【００２８】
要求されるガスバリア性は、充填される薬液により異なるため、一義的には定め得ないが、例えば、酸素透過度で１５ｍｌ／２４時間・ｍ2 ・ａｔｍ以下、より好ましくは、５ｍｌ／２４時間・ｍ2 ・ａｔｍ以下であり、特に高いガスバリア性が要求される場合には、１ｍｌ／２４時間・ｍ2 ・ａｔｍ以下とすることが望ましい。
【００２９】
また、要求される水蒸気バリア性についても、充填される薬液により異なるため、一義的には定め得ないが、例えば、水蒸気透過度で１５ｇ／２４時間・ｍ2 以下、好ましくは５ｇ／２４時間・ｍ2 以下、特に高い水蒸気バリア性が求められる場合には、１ｇ／２４時間・ｍ2 以下であることが望ましい。
【００３０】
（薬液）
上記薬液袋に収納される薬液についても特に限定されるものではなく、後述の薬液吸収材に含浸させて皮膚等に塗布するのに適した適宜の薬剤を用いることができる。また、薬液は、薬効等を示す主成分の水溶液であってもよく、他の溶媒の溶液であってもよい。さらに、薬液は、溶液ではなく分散液であってもよい。
【００３１】
薬液は水性あるいは油性の何れであってもよく、薬効等を示す主成分についても特に限定されるものではなく、例えば、消毒薬、キズ薬、かゆみ止め薬、水虫薬などを挙げることができ、その他、洗浄液や化粧液などを用いてもよい。
【００３２】
消毒薬の例としては、ポビドンヨード、グルコン酸クロルヘキシジン、塩化ベンザルコニウム、エタノールやイソプロパノールなどのアルコール類などを挙げることができる。また、これらの２種以上を混合することなどにより併用してもよい。
【００３３】
薬剤の量は、特に限定されるものではない。綿棒などの薬液吸収材の薬材吸収量に合わせて適宜薬剤量を決定すればよい。薬剤量が多すぎると、薬液吸収材に十分に吸収されず、余剰の薬剤が飛散したり、こぼれ落ちたりすることがある。また、使用されない薬剤量が多くなる分だけコストが高くつくことになる。逆に、薬剤が少なすぎると、十分な量の薬剤が皮膚等の表面に塗布し得ないことがある。従って、薬剤量は、薬剤の種類及び薬液吸収材の種類によっても異なるが、好ましくは、綿棒等の薬液吸収材の最大薬剤吸収量の０．５〜５倍、より好ましくは１〜３倍の範囲とすればよい。
なお、薬剤には色素等を添加して着色してもよく、それによって薬液の存在の確認を容易とすることができる。
【００３４】
（薬液吸収材）
本発明において用いられる薬液吸収材は、綿棒に限定されるものではなく、ガーゼ、脱脂綿もしくは不織布などの従来より薬液等を含浸させて皮膚等に適用するのに用いられている、一般的な薬液吸収性材料の全てを用いることができる。
【００３５】
薬液吸収材の材質についても特に限定されるものではなく、薬液を吸収しかつ皮膚などに適用し得るものである限り、適宜の材質のものを用いることができる。例えば、脱脂綿、絹、ウール、レーヨン、ポリエステル、アクリル、ナイロン、ウレタン、ポリオレフィンなどからなるものを例示することができ、これらの２種以上を混合したものであってもよい。また、薬液吸収材の形状及び大きさについても特に限定されるものではなく、使用目的に応じて適宜設定すればよい。
【００３６】
薬液吸収材として綿棒を用いる場合、綿棒の形状についても特に限定されるものではなく、例えば、薬液等を含浸させ得る綿球と、指で容易に把持し得る軸とを有する一般的な綿棒を用いることができる。
【００３７】
綿球については、薬液等を吸収し、皮膚に塗布し得るものであれば、その材質については特に限定されるものではない。綿球を構成する材料としては、例えば、脱脂綿、絹、ウール、レーヨン、ポリエステル、アクリル、ナイロン、ウレタン、ポリオレフィンなどを挙げることができ、これらの２種以上を混合したものを用いてもよい。
【００３８】
綿球の形状についても特に限定されるものではなく、例えば、球形、円筒形、平板型などを挙げることができ、球形の変形体として断面形状が楕円のものを用いてもよい。また、綿球については、繊維を巻き付けたもの、帯状の不織布をロール状に巻き付けたもの、型抜きされた一体ものもしくは成形品であってもよい。
【００３９】
綿球の大きさは特に限定されず、所定量の薬液などを皮膚に塗布し得るように選択され、使用目的に応じて設定されればよい。消毒薬の場合、好ましくは、長さ１０〜３０ｍｍ、最大径３〜２０ｍｍ、重量０．０１〜０．３ｇ程度とされ、それによって皮膚表面の消毒に好適に用いることができる。
【００４０】
綿棒の軸部分については、材質、形状及び大きさなどについて特に限定されるものではない。材質としては、例えば、ポリエチレン、ポリプロピレン、ポリエチレンテレフタレートなどの合成樹脂、紙、木、アルミニウムなどの金属を例示することができる。形状については、軸状のものが一般的であるが、この場合、断面が円形のものに限らず、断面が角形の角柱状のものや楕円柱状ものであってもよい。また、軸棒には、綿球を固定するための滑り止めを施してもよい。
【００４１】
一般に綿球と軸は接着剤を用いて固定されているが、熱融着や一体成形により固定されていてもよく、固定方法についても限定されるものではない。
綿球は繊維を巻き付けたような繊維集合体で構成してもよく、その場合には、表面の毛羽立ち防止及び繊維の抜け落ち防止のために、表面を、例えば、カルボキシメチルセルロースなどの接着剤等によりコーティングしてもよい。
また、綿棒などの薬液吸収材は、容器内に複数収納されていてもよい。
【００４２】
（第１，第２の筒状容器の材料及び形状）
本発明において、上記第１，第２の筒状容器を構成する材料についても特に限定されるものではなく、例えば、ポリエチレン、ポリプロピレン、ポリエチレンテレフタレート、ポリ塩化ビニル、ポリ塩化ビニリデン、エチレン−酢酸ビニル共重合体、ポリアクリロニトリル、ポリアミド、ポリスチレン、ポリアセタール、アクリロニトリル−スチレン共重合体、アクリロニトリル−ブタジエン−スチレン共重合体などの合成樹脂を例示することができる。上記合成樹脂は単独で使用してもよく、２種以上の積層体であってもよい。また、ガス及び水蒸気バリア性を高めるために、合成樹脂材にアルミニウムなどの金属箔をラミネートしたものであってもよく、あるいは合成樹脂材に珪素酸化物などの無機物もしくは金属などの蒸着された材料から構成してもよい。
【００４３】
第１，第２の筒状容器は、保形性を有するように構成されており、従って、筒状の形状を保持し得る強度を有する。もっとも、筒状とは、円筒型に限定されず、角筒状であってもよい。
【００４４】
第１，第２の筒状容器の形状及び薬液袋開封手段の具体的な構造については、以下において、図面を参照しつつ非限定的な構造例を説明することにより明らかにする。
【００４５】
（第１の構造例）
図１〜図４を参照して、本発明の薬液吸収材容器の第１の構造例を説明する。図３に示すように、薬液吸収材容器１は、第１の筒状容器２と、第２の筒状容器３とを有する。第２の筒状容器３は、第１の筒状容器２に対して外挿されており、かつ第１の筒状容器２に対してスライド可能に構成されている。第１の筒状容器２は、先端が閉じられており、かつ該先端に中央に向かって窪んだ凹部２ａが形成されている。
【００４６】
また、図４（ａ）から明らかなように、第１の筒状容器２の中心には、長さ方向に延びるように円筒状のシリンダー２ｂが形成されている。シリンダー２ｂの外周面には、シリンダー２ｂの外周面を周方向に５分割した位置に隔壁２ｃが形成されている。隔壁２ｃの外側端は、筒状容器部材２の側壁内面に固定されている。従って、５枚の隔壁２ｃにより、図４（ａ）に示す５個の区画２ｄが形成されている。各区画２ｄには、それぞれ、後述する綿棒が収納されるように構成されている。
【００４７】
他方、シリンダー２ｂ内には、押動部材４が配置されている。押動部材４は、円筒４ａの中央に断面十字状のリブ４ｂを設けた構造を有する。また、リブ４ｂの両端には、それぞれ、蓋４ｃ，４ｄが形成されている。
【００４８】
押動部材４は、前述したシリンダー２ｂ内を長さ方向に移動可能に配置されている。もっとも、押動部材４の外周面と、シリンダー２ｂの内周面とがある程度の摩擦力を有し、例えば、図１に示した状態では、押動部材４が外力を加えられない状態でその位置を保ち得るように、上記シリンダー２ｂの径、押動部材４の外径、並びにこれらの材質が選ばれている。
【００４９】
図１に示すように、第１の筒状容器２の先端中央には、薬液袋５が配置されている。薬液袋５は、本構造例ではＰＥＴ／Ａｌ／ＰＥＴ／ＰＶＤＣの積層フィルムにより構成されている。また、薬液袋５内には、薬液６として０．５％グルコン酸クロルヘキシジン・エタノール液が収納されている。
【００５０】
図１を参照して、第１の筒状容器２の区画２ｄには、綿棒７が収納されている。綿棒７は、軸７ａの先端に綿球７ｂを形成した構造を有する。図１から明らかなように、綿球７ｂが、第１の筒状容器２の先端に当接するように配置されており、すなわち、薬液袋５の側方に綿球７ｂが配置されている。
【００５１】
図１では、図示を省略しているが、図４に示した区画２ｄの何れにも、上記綿棒７が配置されている。
第２の筒状容器３は、第１の筒状容器２と同様に、本構造例では、ポリエチレンにより構成されている。第２の筒状容器３は、図１において上端が閉じられており、前述した押動部材４は、その上端が第２の筒状容器３内に位置するように押動部材４及び筒状容器３の長さが選択されている。
【００５２】
使用に際しては、図１に示す状態から、第２の筒状容器３を第１の筒状容器２側に向かってスライドさせる。逆に、第１の筒状容器２を第２の筒状容器３側にスライドさせてもよく、両者を互いに近接する方向にスライドさせてもよい。その結果、図２に示すように、押動部材４が、第２の筒状容器３の天板３ａの内面により押されて、第１の筒状容器２の先端側に移動される。従って、押動部材４により薬液袋５が破れ、薬液６が漏洩し、綿棒７の綿球７ｂに含浸される。よって、第１の筒状容器２に対して第２の筒状容器３を上記のように近接するようにスライドさせるだけで、綿棒７に薬液を含浸させることができる。
【００５３】
なお、上記構造例では、押動部材４は第２の筒状容器３に固定されていなかったが、第２の筒状容器３の天板２ａの内面に固定されていてもよい。
また、押動部材４については、上記のように円筒４ａの中央にリブ４ｂを設けた構造を有する必要は必ずしもなく、単に棒状の部材により押動部材４を構成してもよい。また、押動部材４及びシリンダー２ｂは、断面が円形以外の形状、例えば、正方形などの多角形状とされていてもよい。
同様に、第１，第２の筒状容器についても、円筒状でなく角筒状であってもよい。
【００５４】
（第２の構造例）
図５は、本発明の薬液吸収材容器の第２の構造例を示す斜視図である。薬液吸収材容器１１は、第１の筒状容器１２と、第２の筒状容器１３とを有する。本構造例では、第１，第２の筒状容器１２，１３はそれぞれ円筒状の形状を有するが、角筒状の形状を有するものであってもよい。
【００５５】
第２の筒状容器１３は、第１の筒状容器１２に内挿されるように、その外径が第１の筒状容器１２の内径とほぼ同等とされている。また、第２の筒状容器１３は、上方に配置された筒状容器半体１３ａと、下方に配置された筒状容器半体１３ｂとを有する。筒状容器半体１３ａは、上端が天板１３ｅにより閉じられており、他方端が開口されている。筒状容器半体１３ｂについては、上端が開口されており、下端に底板１３ｃを有する。筒状容器半体１３ａの下端と、筒状容器半体１３ｂの上端とは、図６（ａ）に示されているように突き合わされている。
【００５６】
また、筒状容器半体１３ｂの下端の底板１３ｃには、中央に貫通孔１３ｄが形成されている。
上記のように、第２の筒状容器１３を、筒状容器半体１３ａ，１３ｂの２つの部材で構成しているのは、筒状容器半体１３ａのみを取り外して、綿棒の取り出しを容易とするためである。好ましくは、第２の筒状容器１３により後述の薬液袋５を確実に押圧するために、筒状容器半体１３ｂと筒状容器半体１３ａとがある程度の面積で突き合わされていることが望ましい。従って、より好ましくは、筒状容器半体１３ａ，１３ｂの内径をほぼ等しく、かつ両者の肉厚を厚くすることが望ましい。
【００５７】
なお、図６に第１，第２の筒状容器のみを断面図で示すように、第１の筒状容器１２は、先端が底板１２ａで閉じられている。
図７（ａ）は、薬液吸収材容器１１内に薬液吸収材としての綿棒７及び薬液袋５が収納されている状態を示す断面図である。綿棒７は、第２の筒状容器１３内に収納されている。
【００５８】
他方、第２の筒状容器１３は、底板１３ｃを有するため、収納されている綿棒７の綿球７ｂが底板１３ｃに当接することにより、綿棒７が第２の筒状容器１３外に突出しないように構成されている。
【００５９】
綿棒７及び薬液袋５については、第１の構造例で示した綿棒７及び薬液袋５と同様に構成されている。薬液袋５は、第１の筒状容器１２に収納されている。
使用に際しては、図７（ｂ）に示すように、第２の筒状容器１３を第１の筒状容器１２側に向かってスライドさせる。その結果、薬液袋７が、第２の筒状容器１３により押圧されて、開封される。開封により薬液袋５内の薬液６が漏洩するが、該薬液６が貫通孔１３ｄを通り第２の筒状容器１３内に流れ込む。そのため、綿球７ｂに薬液６が含浸される。
【００６０】
従って、第２の構造例の薬液吸収材容器１１においても、第１，第２の筒状容器１２，１３を互いに近接させるようにスライドさせるだけで、綿棒７の綿球７ｂに薬液６を確実にかつ衛生的に含浸させ得る。
【００６１】
なお、第２の構造例において、上記底板１３ｃは、中央に貫通孔１３ｄを有していたが、貫通孔１３ｄは、底板１３ｃに複数形成されていていもよい。また、底板１３ｃに代えて、メッシュなどを第２の筒状容器１３の先端に取り付けたものであってもよい。
【００６２】
（第３の構造例）
図８は、本発明の薬液吸収材容器の第３の構造例を示す斜視図である。薬液吸収材容器２１は、第１の筒状容器２２と、第１の筒状容器２２に外挿されており、第１の筒状容器２２に対してスライド可能に構成されている第２の筒状容器２３とを有する。
【００６３】
図９（ａ）に筒状容器部材２２，２３のみの断面を示すように、第１の筒状容器２２の先端には、可撓性を有する薬液袋収納部２２ａが設けられている。薬液袋収納部２２ａは蛇腹状の形状を有し、可撓性を有する。従って、図９（ａ）の矢印Ｘ方向に外力を加えた場合、薬液袋収納部２２ａは圧縮変形し得るように構成されている。
【００６４】
本構造例の薬液吸収材容器２１では、上記薬液袋収納部２２ａ内に薬液袋５が収納されている。薬液袋５については、第１の構造例と同様に構成されている。他方、第１，第２の筒状容器２２，２３で構成される容器内に綿棒７が配置されている。綿棒７は、綿球７ｂが薬液袋収納部２２ａ側を向くように収納されている。もっとも、綿棒７を軸７ａが、第２の筒状容器２３内に入り込み得るように、綿棒７の長さ及び第１，第２の筒状容器２２，２３の長さが選択されている。
【００６５】
薬液吸収材容器２１では、使用前の状態では、上記のように綿棒７と薬液袋５とが薬液吸収材容器２１に収納されているが、薬液６が薬液袋５に収納されているため、薬液６により綿棒７が汚染されない。
【００６６】
使用に際しては、薬液袋収納部２２ａの先端を矢印Ｘ方向に圧縮変形させることにより、薬液袋５を開封することができる。その結果、薬液６が漏洩する。従って、第２の筒状容器２３を第１の筒状容器２２側に向かってスライドさせることにより、綿球７ｂに薬液６を含浸させることができる。
【００６７】
また、上記薬液袋５を開封する場合、薬液袋収納部２２ａを圧縮変形させるだけでなく、さらに、薬液袋収納部２２ａを圧縮変形させると同時に第２の筒状容器２３を第１の筒状容器２２側にスライドさせて綿棒７を第２の筒状容器２３の天板２３ａで押動し、綿球７ａから薬液袋５に圧力を加えれば、薬液袋５をより一層容易に開封することができる。
【００６８】
なお、第３の構造例では、薬液袋収納部２２ａに可撓性を設けるために、薬液袋収納部２２ａを蛇腹形状としたが、薬液袋収納部２２ａに外力を加えて変形させることにより薬液袋５を開封し得る限り、可撓性を与えるための構造及び材質については特に限定されるものではない。すなわち、薬液袋収納部２２ａを薄い合成樹脂材で構成することにより、薬液袋収納部２２に可撓性を与えてもよい。
【００６９】
【発明の効果】
請求項１に記載の発明に係る薬液吸収材容器によれば、第１，第２の筒状容器の少なくとも一方を他方側に向かってスライドさせることにより、薬液袋が破られ、薬液袋内の薬液が薬液吸収材に確実に含浸される。従って、使用前の保管時には、薬液吸収材と薬液とが確実に分離されているため、使用前に薬液吸収材が薬液により汚染されるおそれや薬液の汚染のおそれがなく、かつ使用時には、上記操作を行うだけで薬液吸収材に薬液を確実に含浸させることができるので、薬液が含浸された薬液吸収材を患部に対して簡便かつ衛生的に適用することが可能となる。
【００７０】
請求項２に記載の発明によれば、薬液袋開封手段が、上記押動部材により構成されているため、第１，第２の筒状容器の少なくとも一方を他方側に向かってスライドさせるだけで、該押動部材により薬液袋を確実に開封することができる。よって、請求項１に記載の発明と同様に、使用前には薬液吸収材と薬液とが分離されているため、薬液吸収材及び薬液の汚染が生じ難く、かつ使用時には簡便な操作で薬液吸収材に薬液をより一層確実に含浸させることができる。
【００７１】
請求項３に記載の発明によれば、第２の筒状容器が第１の筒状容器に対してスライド可能に内挿されるように構成されているので、第１，第２の筒状容器の少なくとも一方を他方側に向かってスライドさせるだけで、薬液袋を容易に開封することができる。従って、使用に際し、簡便な操作により、薬液吸収材に薬液をより確実に含浸させることができる。
【００７２】
請求項４に記載の発明では、第１の筒状容器の第２の筒状容器と反対側の端部に可撓性を有する薬液袋収納部が設けられているので、使用に際して薬液袋収納部に小さな外力を加えるだけで薬液袋を確実に開封することができる。よって、第１，第２の筒状容器の少なくとも一方を他方側に向かってスライドさせることにより、薬液吸収材により確実に薬液を含浸させることができる。
【００７３】
請求項５に記載の発明では、薬液吸収材が第２の筒状容器により押動されて薬液袋収納部側に移動され得るため、開封された薬液袋から漏洩した薬液に薬液吸収材をより確実に接触させることが可能となる。
【図面の簡単な説明】
【図１】本発明に係る薬液吸収材容器の第１の構造例を示す縦断面図。
【図２】本発明に係る薬液吸収材容器の第１の構造例において、綿棒に薬液を吸収させた状態を示す縦断面図。
【図３】本発明の第１の構造例に係る薬液吸収材容器の斜視図。
【図４】（ａ）及び（ｂ）は、本発明に係る薬液吸収材容器の第１の構造例の第１，第２の筒状容器を説明するための（ｂ）のＡ−Ａ線に沿う横断面図及び縦断面図。
【図５】本発明に係る薬液吸収材容器の第２の構造例の斜視図。
【図６】（ａ）及び（ｂ）は、それぞれ、本発明に係る薬液吸収材容器の第２の構造例の第１，第２の筒状容器を説明するための縦断面図及び（ａ）のＢ−Ｂ線に沿う横断面図。
【図７】（ａ）及び（ｂ）は、本発明に係る薬液吸収材容器の第２の構造例の使用前の縦断面図及び薬液吸収材に薬液を含浸させた状態を示す縦断面図。
【図８】本発明に係る薬液吸収材容器の第３の構造例の斜視図。
【図９】（ａ）及び（ｂ）は、本発明に係る薬液吸収材容器の第３の構造例における第１，第２の筒状容器を説明するための縦断面図及び綿棒及び薬液袋を収納した状態を示す縦断面図。
【符号の説明】
１…薬液吸収材容器
２…第１の筒状容器
３…第２の筒状容器
４…押動部材
５…薬液袋
６…薬液
７…薬液吸収材としての綿棒
１１…薬液吸収材容器
１２…第１の筒状容器
１３…第２の筒状容器
２１…薬液吸収材容器
２２…第１の筒状容器
２３…第２の筒状容器
２２ａ…薬液袋収納部
【図１】
0003872860.tif 000002
【図２】
0003872860.tif 000003
【図３】
0003872860.tif 000004
【図４】
0003872860.tif 000005
【図５】
0003872860.tif 000006
【図６】
0003872860.tif 000007
【図７】
0003872860.tif 000008
【図８】
0003872860.tif 000009
【図９】
0003872860.tif 000010